(57)【要約】【課題】会議情報記録装置の提供。【解決手段】ハードウエアとソフトウエアで組成され、該ハードウエアが、少なくとも、信号受信ユニット、ＣＯＤＥＣユニット、データ処理ユニット、制御入力ユニット、保存ユニット、電源機構を具え、該ソフトウエアが少なくとも、基本入力制御、状態フロー制御、デジタル量子化データ処理、音声方向シーク処理、音声処理、及びファイルシステムの管理等のステップを具え、これにより、自動的に音源に依り音声の方向シークとキャプチャを行い、良好な記録品質を有し、且つ音声情報が圧縮されてから保存ユニット内に保存され、ゆえに大量に会議音声情報を記録できシステムがデジタル化データを保存し、並びに音声方向シーキング、録音記録、再生検索等の基本要求を具備する。【選択図】　　　　図１
2004128797.tif 000002
【特許請求の範囲】
【請求項１】
会議情報記録装置において、ハードウエアとソフトウエアによって組成され、そのうち、該ハードウエアが、少なくとも、
一．複数のマイクロホン及び信号増幅器を具えた信号受信ユニットと、
一．アナログ入力デジタル量子化器で構成されたＣＯＤＥＣユニットと、
一．論理共同管理装置とＣＰＵで組成されたデータ処理ユニットと、
一．キーボードを具えると共に使用者の入力した制御信号をＣＰＵに伝送する制御入力ユニットと、
一．論理共同管理装置により制御管理されると共に、ＣＰＵの制御信号を受け取る表示ユニットと、
一．時間情報を提供すると共に論理共同管理装置により制御管理されるタイマーと、
一．ＣＰＵにより制御されてデータを入力及び出力し且つ非揮発性保存方式とされた保存ユニットと、
一．適当な電源を供給する電源機構と、を具えている、
該ソフトウエアが、少なくとも、
（ａ）基本入力制御ステップとされ、制御入力ユニットの制御信号を受け取り、並びに事件分配待ち行列のプログラムを含み、制御信号を変換して対応する事件コードとなすステップと、
（ｂ）状態フロー制御ステップとされ、（ａ）のステップで発生した事件を処理し、当時の状態の判断をして動作を実行し、その後、もう一つの状態に変換するステップと、
（ｃ）デジタル量子化データ処理ステップとされ、信号受信ユニットより入力されるデジタルデータ、その入力及び出力の制御、及びタイミングを掌握管理するステップと、
（ｄ）音声方向シーク処理ステップとされ、信号受信ユニット及びＣＯＤＥＣユニットから伝送されるデジタルデータを受け取り、並びに導向処理を行い、信号受信ユニットの指向を判断し、且つこの方向の信号を合成し、この信号をこの方向にあって数倍に増幅し、その他の方向を数倍減少し、増幅後の信号データを（ｃ）のステップにより出力するステップと、
（ｅ）音声処理ステップとされ、（ｃ）のステップで出力されたデジタルデータを受け取り、且つそれを圧縮し、（ｄ）のステップに供するステップ、
（ｊ）表示出力の制御ステップとされ、（ｂ）のステップの動作命令を受け取り、並びに表示ユニットの動作を制御するステップと、
（ｆ）ファイルシステムの管理ステップとされ、（ｅ）のステップのデータを受け取り、且つデータ処理ユニットの内定した命名規則及びタイマーのリアルタイム時間により、ファイル名処理を行い、並びに保存ユニットのこのデータに対するアクセスを制御するステップとを具えている、
これにより自動的に音源に依り音声の方向シークとキャプチャを行い、並びにシステマティックに保存してデジタル化記録となすことを特徴とする、会議情報記録装置。
【請求項２】
請求項１に記載の会議情報記録装置において、信号受信ユニットがさらに非共面の象限に、別に延伸信号受信ユニットを具え、且つ該延伸信号受信ユニットが単一或いは単一以上のマイクロホンを架設してなると共に一つの信号増幅器を具えたことを特徴とする、会議情報記録装置。
【請求項３】
請求項２に記載の会議情報記録装置において、信号増幅器がマイクロホンと合併されて一つの信号受信ユニットとされたことを特徴とする、会議情報記録装置。
【請求項４】
請求項１に記載の会議情報記録装置において、信号受信ユニット、ＣＯＤＥＣユニット、データ処理ユニット、制御入力ユニット、及び保存ユニットが、半導体のチップ技術により、結合されて単一のチップとされるか、分解されて異なる機能の組み合わせのチップとされたことを特徴とする、会議情報記録装置。
【請求項５】
会議情報記録装置において、ハードウエアとソフトウエアで組成され、そのうち、該ハードウエアが、少なくとも、
一．複数のマイクロホン及び信号増幅器を具えた信号受信ユニットと、
アナログ入力デジタル量子化器で構成されたＣＯＤＥＣユニットと、
一．論理共同管理装置とＣＰＵで組成されたデータ処理ユニットと、
一．ＣＰＵの出力するデジタルデータをアナログ信号に変換するアナログ出力デジタル量子化器と、
一．アナログ出力デジタル量子化器の変換したアナログ信号のパワーを増加し、並びにそれを出力するスピーカ出力ユニットと、
一．キーボードを具えると共に使用者の入力した制御信号をＣＰＵに伝送する制御入力ユニットと、
一．論理共同管理装置により制御管理されると共に、ＣＰＵの制御信号を受け取る表示ユニットと、
一．時間情報を提供すると共に論理共同管理装置により制御管理されるタイマーと、
一．ＣＰＵにより制御されてデータを入力及び出力し且つ非揮発性保存方式とされた保存ユニットと、
一．適当な電源を供給する電源機構と、を具えている、
該ソフトウエアが、少なくとも、
（ａ）基本入力制御ステップとされ、制御入力ユニットの制御信号を受け取り、並びに事件分配待ち行列のプログラムを含み、制御信号を変換して対応する事件コードとなすステップと、
（ｂ）状態フロー制御ステップとされ、（ａ）のステップで発生した事件を処理し、当時の状態の判断をして動作を実行し、その後、もう一つの状態に変換するステップと、
（ｃ）デジタル量子化データ処理ステップとされ、信号受信ユニットとアナログ出力デジタル量子化器より入力される及びそれに出力されるデータ、その入力及び出力の制御、及びタイミングを掌握管理し、音声の運転を順調となすステップと、
（ｄ）音声方向シーク処理ステップとされ、信号受信ユニット及びＣＯＤＥＣユニットから伝送されるデジタルデータを受け取り、並びに導向処理を行い、信号受信ユニットの指向を判断し、且つこの方向の信号を合成し、この信号をこの方向にあって数倍に増幅し、その他の方向を数倍減少し、増幅後の信号データを（ｃ）のステップにより、スピーカ出力ユニット及びアナログ出力デジタル量子化器に出力するステップと、
（ｅ）音声処理ステップとされ、（ｃ）のステップで出力されたデジタルデータを受け取り、且つそれを圧縮し、（ｆ）のステップに供するステップ、
（ｊ）表示出力の制御ステップとされ、（ｂ）のステップの動作命令を受け取り、並びに表示ユニットの動作を制御するステップと、
（ｆ）ファイルシステムの管理ステップとされ、（ｅ）のステップのデータを受け取り、且つデータ処理ユニットの内定した命名規則及びタイマーのリアルタイム時間により、ファイル名処理を行い、並びに保存ユニットのこのデータに対するアクセスを制御するステップとを具えていることを特徴とする、会議情報記録装置。
【請求項６】
請求項５に記載の会議情報記録装置において、信号受信ユニットがさらに非共面の象限に、別に延伸信号受信ユニットを具え、且つ該延伸信号受信ユニットが単一或いは単一以上のマイクロホンを架設してなると共に一つの信号増幅器を具えたことを特徴とする、会議情報記録装置。
【請求項７】
請求項６に記載の会議情報記録装置において、信号増幅器がマイクロホンと合併されて一つの信号受信ユニットとされたことを特徴とする、会議情報記録装置。
【請求項８】
請求項５に記載の会議情報記録装置において、信号受信ユニット、ＣＯＤＥＣユニット、データ処理ユニット、制御入力ユニット、及び保存ユニットが、半導体のチップ技術により、結合されて単一のチップとされるか、分解されて異なる機能の組み合わせのチップとされたことを特徴とする、会議情報記録装置。
【請求項９】
会議情報記録装置において、ハードウエアとソフトウエアで組成され、そのうち、該ハードウエアが、少なくとも、
一．複数のマイクロホン及び信号増幅器を具えた信号受信ユニットと、
一．アナログ入力デジタル量子化器で構成されたＣＯＤＥＣユニットと、
一．論理共同管理装置とＣＰＵで組成されたデータ処理ユニットと、
一．ＣＰＵの出力するデジタルデータをアナログ信号に変換するアナログ出力デジタル量子化器と、
一．アナログ出力デジタル量子化器の変換したアナログ信号のパワーを増加し、並びにそれを出力するスピーカ出力ユニットと、
一．電話インタフェース回路で組成されて電話局端（ＣＯ）に連接されるか、電話交換機（ＰＢＸ）の内線端に連接されて、双方向通話或いは多方向通話を実行する電話通信ユニットと、
一．電話局端（ＣＯ）或いは電話交換機（ＰＢＸ）のアナログ信号をデジタルデータに変換し、並びに近端より電話局端（ＣＯ）或いは電話交換機（ＰＢＸ）に伝送されるデジタルデータをアナログ信号に変換するアナログ入出力デジタル量子化器と、
一．キーボードを具えると共に使用者の入力した制御信号をＣＰＵに伝送する制御入力ユニットと、
一．論理共同管理装置により制御管理されると共に、ＣＰＵの制御信号を受け取る表示ユニットと、
一．時間情報を提供すると共に論理共同管理装置により制御管理されるタイマーと、
一．ＣＰＵにより制御されてデータを入力及び出力し且つ非揮発性保存方式とされた保存ユニットと、
一．適当な電源を供給する電源機構と、を具える、
該ソフトウエアが、少なくとも、
（ａ）基本入力制御ステップとされ、制御入力ユニットの制御信号を受け取り、並びに事件分配待ち行列のプログラムを含み、制御信号を変換して対応する事件コードとなすステップと、
（ｂ）状態フロー制御ステップとされ、（ａ）のステップで発生した事件を処理し、当時の状態の判断をして動作を実行し、その後、もう一つの状態に変換するステップと、
（ｃ）デジタル量子化データ処理ステップとされ、信号受信ユニットとアナログ出力デジタル量子化器より入力される及びそれに出力されるデータ、その入力及び出力の制御、及びタイミングを掌握管理し、音声の運転を順調となすステップと、
（ｄ）音声方向シーク処理ステップとされ、信号受信ユニット及びＣＯＤＥＣユニットから伝送されるデジタルデータを受け取り、並びに導向処理を行い、信号受信ユニットの指向を判断し、且つこの方向の信号を合成し、この信号をこの方向にあって数倍に増幅し、その他の方向を数倍減少し、増幅後の信号データを（ｃ）のステップにより、スピーカ出力ユニット及びアナログ出力デジタル量子化器に出力するステップと、
（ｅ）音声処理ステップとされ、（ｃ）のステップで出力されたデジタルデータを受け取り、且つそれを圧縮し、（ｆ）のステップに供するステップと、
（ｇ）空間と電話のエコー消去ステップとされ、（ｃ）のステップ中の、信号受信ユニットとアナログ出力デジタル量子化器、電話通話ユニットとアナログ入出力デジタル量子化器より入力される信号を受け取り、並びにエコー消去後、（ｃ）のステップの処理に供するステップと、
（ｈ）ＤＴＭＦ発生及び受信ステップとされ、（ｃ）のステップ中の電話通話ユニット及びアナログ入出力デジタル量子化器より入力されるデータを受け取り、並びにＤＴＭＦ信号であるか否かを判断し、ＤＴＭＦ信号であれば、受信した指示コードを（ｂ）のステップの処理に供するか、（ｂ）のステップで発生した動作制御コードを受け取り、ＤＴＭＦ信号を発生し、並びに発生したデータを（ｃ）のステップの処理に供し、電話通話ユニット及びアナログ入出力デジタル量子化器に伝送するステップと、
（ｉ）多方向通話の多方向平衡ステップとされ、（ｈ）のステップで処理後のデータを受け取り、並びに電話局端（ＣＯ）或いは電話交換機（ＰＢＸ）及びこのハードウエアの入力信号を合成し、各方の平衡を達成した後、結果を（ｃ）のステップの処理に供し、各方に向けて出力するステップと、
（ｊ）表示出力の制御ステップとされ、（ｂ）のステップの動作命令を受け取り、並びに表示ユニットの動作を制御するステップと、
（ｆ）ファイルシステムの管理ステップとされ、（ｅ）のステップのデータを受け取り、且つデータ処理ユニットの内定した命名規則及びタイマーのリアルタイム時間により、ファイル名処理を行い、並びに保存ユニットのこのデータに対するアクセスを制御するステップと、を具えたことを特徴とする、会議情報記録装置。
【請求項１０】
請求項９に記載の会議情報記録装置において、信号受信ユニットがさらに非共面の象限に、別に延伸信号受信ユニットを具え、且つ該延伸信号受信ユニットが単一或いは単一以上のマイクロホンを架設してなると共に一つの信号増幅器を具えたことを特徴とする、会議情報記録装置。
【請求項１１】
請求項１０に記載の会議情報記録装置において、信号増幅器がマイクロホンと合併されて一つの信号受信ユニットとされたことを特徴とする、会議情報記録装置。
【請求項１２】
請求項９に記載の会議情報記録装置において、信号受信ユニット、ＣＯＤＥＣユニット、データ処理ユニット、制御入力ユニット、及び保存ユニットが、半導体のチップ技術により、結合されて単一のチップとされるか、分解されて異なる機能の組み合わせのチップとされたことを特徴とする、会議情報記録装置。
【発明の詳細な説明】
【０００１】
【発明の属する技術分野】
本発明は一種の会議情報記録装置に係り、特に、ハードウエアとソフトウエアで組成され、自動的に音源に依り音声方向シーキング、録音記録、再生を行い、且つ大量の保存記録をデジタル化データとなすことができ、並びに位置決め、記録、放送、検索等の基本要求を具備するものに関する。
本発明の装置によると、該ハードウエアは少なくとも、信号受信ユニット、ＣＯＤＥＣユニット、データ処理ユニット、制御入力ユニット、保存ユニット、電源機構を具え、該ソフトウエアは少なくとも、（ａ）基本入力制御、（ｂ）状態フロー制御、（ｃ）デジタル量子化データ処理、（ｄ）音声方向シーク処理、（ｅ）音声処理、及び（ｆ）ファイルシステムの管理等のステップを具えている。
【０００２】
【従来の技術】
伝統的に会議の過程中には、会議中の発言を録音テープに記録する。しかし音声を録音する時、室内のエコーの影響があるため、録音品質が悪くなる。このため、代わってデジタル式録音機が使用されるようになり、この問題は改善された。しかし、長期にわたる場合、累積する数量も多くなり、ファイルを探したり整理するのは容易でなくなる。
【０００３】
さらに、会議過程中に、電話通信を加えて多方向通話を行う時は、伝統的な録音機或いはデジタル式録音機は近端の発言者及び遠端の発言者を識別できないため、全体の録音効果が混乱し、録音品質を上げにくく、また、後日の検索にも困難をもたらした。
【０００４】
【発明が解決しようとする課題】
以上から、本発明者は、会議で音声情報を記録する時、まずその音声の録音品質を高め、且つ長時間録音の機能と操作の便利性を具えるようにし、大量の会議音声情報の記録とデジタル化データとして保存する目的を達成すると共に、録音過程中に、音声方向シーキング、録音記録、再生、検索等の基本要求を具えるようにし、会議記録データの管理と後日の検索が容易であるようにし、時代の要求に応えられるようにすることが必要であると認めた。
【０００５】
本発明の主要な目的は、一種の会議情報記録装置を提供することにあり、それは、以下の長所、特徴及び目的を具えて従来の技術の欠点を克服できるものとする。
【０００６】
第１に、本発明の信号受信ユニットは、複数のマイクロホンを架設してなり、且つ信号増幅器を具え、受信した音声信号を増幅でき、これにより、自動的に音源に依り音声の方向シークを行い、正面の発言者の音声をキャプチャし、並びにその信号を倍数増強し、これによりその音声情報の録音記録品質を高める。
第２に、本発明の音声情報は圧縮後に始めて保存ユニット内に保存され、ゆえに長時間の録音機能を達成し、大量に会議音声情報を記録でき並びにデジタル化データとして保存する。
第３に、本発明の制御入力ユニットは、使用者が制御信号を入力するのに供され、これにより、録音過程で、音声方向シーキング、録音記録、再生、検索等の基本要求を具備し、且つ操作が極めて簡便である。
第４に、本発明は更にスピーカ出力ユニット、アナログ出力デジタル量子化器、及び対応するソフトウエアステップを設けることが可能で、これにより使用者が随時音声情報を聴取するのに供する。
第５に、本発明はさらに電話通話ユニット、アナログ出力デジタル量子化器、及び対応するソフトウエアステップを設けることが可能で、これにより電話局端（ＣＯ）或いは電話交換機（ＰＢＸ）に連接されて、双方向通話或いは多方向通話の目的を達成し、並びに空間と電話のエコーを消去し、近端及び遠端の会議を同時に進行できるようにし並びに記録する。
第６に、本発明はさらに表示ユニットを設けることが可能で、これにより随時操作の状況を表示できる。また、さらに無線制御入力ユニットを設けることができ、これにより使用者が無線の方式で制御命令を入力できる。
【０００７】
【課題を解決するための手段】
請求項１の発明は、会議情報記録装置において、ハードウエアとソフトウエアによって組成され、そのうち、該ハードウエアが、少なくとも、
一．複数のマイクロホン及び信号増幅器を具えた信号受信ユニットと、
一．アナログ入力デジタル量子化器で構成されたＣＯＤＥＣユニットと、
一．論理共同管理装置とＣＰＵで組成されたデータ処理ユニットと、
一．キーボードを具えると共に使用者の入力した制御信号をＣＰＵに伝送する制御入力ユニットと、
一．論理共同管理装置により制御管理されると共に、ＣＰＵの制御信号を受け取る表示ユニットと、
一．時間情報を提供すると共に論理共同管理装置により制御管理されるタイマーと、
一．ＣＰＵにより制御されてデータを入力及び出力し且つ非揮発性保存方式とされた保存ユニットと、
一．適当な電源を供給する電源機構と、を具えている、
該ソフトウエアが、少なくとも、
（ａ）基本入力制御ステップとされ、制御入力ユニットの制御信号を受け取り、並びに事件分配待ち行列のプログラムを含み、制御信号を変換して対応する事件コードとなすステップと、
（ｂ）状態フロー制御ステップとされ、（ａ）のステップで発生した事件を処理し、当時の状態の判断をして動作を実行し、その後、もう一つの状態に変換するステップと、
（ｃ）デジタル量子化データ処理ステップとされ、信号受信ユニットより入力されるデジタルデータ、その入力及び出力の制御、及びタイミングを掌握管理するステップと、
（ｄ）音声方向シーク処理ステップとされ、信号受信ユニット及びＣＯＤＥＣユニットから伝送されるデジタルデータを受け取り、並びに導向処理を行い、信号受信ユニットの指向を判断し、且つこの方向の信号を合成し、この信号をこの方向にあって数倍に増幅し、その他の方向を数倍減少し、増幅後の信号データを（ｃ）のステップにより出力するステップと、
（ｅ）音声処理ステップとされ、（ｃ）のステップで出力されたデジタルデータを受け取り、且つそれを圧縮し、（ｄ）のステップに供するステップ、
（ｊ）表示出力の制御ステップとされ、（ｂ）のステップの動作命令を受け取り、並びに表示ユニットの動作を制御するステップと、
（ｆ）ファイルシステムの管理ステップとされ、（ｅ）のステップのデータを受け取り、且つデータ処理ユニットの内定した命名規則及びタイマーのリアルタイム時間により、ファイル名処理を行い、並びに保存ユニットのこのデータに対するアクセスを制御するステップとを具えている、
これにより自動的に音源に依り音声の方向シークとキャプチャを行い、並びにシステマティックに保存してデジタル化記録となすことを特徴とする、会議情報記録装置としている。
請求項２の発明は、請求項１に記載の会議情報記録装置において、信号受信ユニットがさらに非共面の象限に、別に延伸信号受信ユニットを具え、且つ該延伸信号受信ユニットが単一或いは単一以上のマイクロホンを架設してなると共に一つの信号増幅器を具えたことを特徴とする、会議情報記録装置としている。
請求項３の発明は、請求項２に記載の会議情報記録装置において、信号増幅器がマイクロホンと合併されて一つの信号受信ユニットとされたことを特徴とする、会議情報記録装置としている。
請求項４の発明は、請求項１に記載の会議情報記録装置において、信号受信ユニット、ＣＯＤＥＣユニット、データ処理ユニット、制御入力ユニット、及び保存ユニットが、半導体のチップ技術により、結合されて単一のチップとされるか、分解されて異なる機能の組み合わせのチップとされたことを特徴とする、会議情報記録装置としている。
請求項５の発明は、会議情報記録装置において、ハードウエアとソフトウエアで組成され、そのうち、該ハードウエアが、少なくとも、
一．複数のマイクロホン及び信号増幅器を具えた信号受信ユニットと、
アナログ入力デジタル量子化器で構成されたＣＯＤＥＣユニットと、
一．論理共同管理装置とＣＰＵで組成されたデータ処理ユニットと、
一．ＣＰＵの出力するデジタルデータをアナログ信号に変換するアナログ出力デジタル量子化器と、
一．アナログ出力デジタル量子化器の変換したアナログ信号のパワーを増加し、並びにそれを出力するスピーカ出力ユニットと、
一．キーボードを具えると共に使用者の入力した制御信号をＣＰＵに伝送する制御入力ユニットと、
一．論理共同管理装置により制御管理されると共に、ＣＰＵの制御信号を受け取る表示ユニットと、
一．時間情報を提供すると共に論理共同管理装置により制御管理されるタイマーと、
一．ＣＰＵにより制御されてデータを入力及び出力し且つ非揮発性保存方式とされた保存ユニットと、
一．適当な電源を供給する電源機構と、を具えている、
該ソフトウエアが、少なくとも、
（ａ）基本入力制御ステップとされ、制御入力ユニットの制御信号を受け取り、並びに事件分配待ち行列のプログラムを含み、制御信号を変換して対応する事件コードとなすステップと、
（ｂ）状態フロー制御ステップとされ、（ａ）のステップで発生した事件を処理し、当時の状態の判断をして動作を実行し、その後、もう一つの状態に変換するステップと、
（ｃ）デジタル量子化データ処理ステップとされ、信号受信ユニットとアナログ出力デジタル量子化器より入力される及びそれに出力されるデータ、その入力及び出力の制御、及びタイミングを掌握管理し、音声の運転を順調となすステップと、
（ｄ）音声方向シーク処理ステップとされ、信号受信ユニット及びＣＯＤＥＣユニットから伝送されるデジタルデータを受け取り、並びに導向処理を行い、信号受信ユニットの指向を判断し、且つこの方向の信号を合成し、この信号をこの方向にあって数倍に増幅し、その他の方向を数倍減少し、増幅後の信号データを（ｃ）のステップにより、スピーカ出力ユニット及びアナログ出力デジタル量子化器に出力するステップと、
（ｅ）音声処理ステップとされ、（ｃ）のステップで出力されたデジタルデータを受け取り、且つそれを圧縮し、（ｆ）のステップに供するステップ、
（ｊ）表示出力の制御ステップとされ、（ｂ）のステップの動作命令を受け取り、並びに表示ユニットの動作を制御するステップと、
（ｆ）ファイルシステムの管理ステップとされ、（ｅ）のステップのデータを受け取り、且つデータ処理ユニットの内定した命名規則及びタイマーのリアルタイム時間により、ファイル名処理を行い、並びに保存ユニットのこのデータに対するアクセスを制御するステップとを具えていることを特徴とする、会議情報記録装置としている。
請求項６の発明は、請求項５に記載の会議情報記録装置において、信号受信ユニットがさらに非共面の象限に、別に延伸信号受信ユニットを具え、且つ該延伸信号受信ユニットが単一或いは単一以上のマイクロホンを架設してなると共に一つの信号増幅器を具えたことを特徴とする、会議情報記録装置としている。
請求項７の発明は、請求項６に記載の会議情報記録装置において、信号増幅器がマイクロホンと合併されて一つの信号受信ユニットとされたことを特徴とする、会議情報記録装置としている。
請求項８の発明は、請求項５に記載の会議情報記録装置において、信号受信ユニット、ＣＯＤＥＣユニット、データ処理ユニット、制御入力ユニット、及び保存ユニットが、半導体のチップ技術により、結合されて単一のチップとされるか、分解されて異なる機能の組み合わせのチップとされたことを特徴とする、会議情報記録装置としている。
請求項９の発明は、会議情報記録装置において、ハードウエアとソフトウエアで組成され、そのうち、該ハードウエアが、少なくとも、
一．複数のマイクロホン及び信号増幅器を具えた信号受信ユニットと、
一．アナログ入力デジタル量子化器で構成されたＣＯＤＥＣユニットと、
一．論理共同管理装置とＣＰＵで組成されたデータ処理ユニットと、
一．ＣＰＵの出力するデジタルデータをアナログ信号に変換するアナログ出力デジタル量子化器と、
一．アナログ出力デジタル量子化器の変換したアナログ信号のパワーを増加し、並びにそれを出力するスピーカ出力ユニットと、
一．電話インタフェース回路で組成されて電話局端（ＣＯ）に連接されるか、電話交換機（ＰＢＸ）の内線端に連接されて、双方向通話或いは多方向通話を実行する電話通信ユニットと、
一．電話局端（ＣＯ）或いは電話交換機（ＰＢＸ）のアナログ信号をデジタルデータに変換し、並びに近端より電話局端（ＣＯ）或いは電話交換機（ＰＢＸ）に伝送されるデジタルデータをアナログ信号に変換するアナログ入出力デジタル量子化器と、
一．キーボードを具えると共に使用者の入力した制御信号をＣＰＵに伝送する制御入力ユニットと、
一．論理共同管理装置により制御管理されると共に、ＣＰＵの制御信号を受け取る表示ユニットと、
一．時間情報を提供すると共に論理共同管理装置により制御管理されるタイマーと、
一．ＣＰＵにより制御されてデータを入力及び出力し且つ非揮発性保存方式とされた保存ユニットと、
一．適当な電源を供給する電源機構と、を具える、
該ソフトウエアが、少なくとも、
（ａ）基本入力制御ステップとされ、制御入力ユニットの制御信号を受け取り、並びに事件分配待ち行列のプログラムを含み、制御信号を変換して対応する事件コードとなすステップと、
（ｂ）状態フロー制御ステップとされ、（ａ）のステップで発生した事件を処理し、当時の状態の判断をして動作を実行し、その後、もう一つの状態に変換するステップと、
（ｃ）デジタル量子化データ処理ステップとされ、信号受信ユニットとアナログ出力デジタル量子化器より入力される及びそれに出力されるデータ、その入力及び出力の制御、及びタイミングを掌握管理し、音声の運転を順調となすステップと、
（ｄ）音声方向シーク処理ステップとされ、信号受信ユニット及びＣＯＤＥＣユニットから伝送されるデジタルデータを受け取り、並びに導向処理を行い、信号受信ユニットの指向を判断し、且つこの方向の信号を合成し、この信号をこの方向にあって数倍に増幅し、その他の方向を数倍減少し、増幅後の信号データを（ｃ）のステップにより、スピーカ出力ユニット及びアナログ出力デジタル量子化器に出力するステップと、
（ｅ）音声処理ステップとされ、（ｃ）のステップで出力されたデジタルデータを受け取り、且つそれを圧縮し、（ｆ）のステップに供するステップと、
（ｇ）空間と電話のエコー消去ステップとされ、（ｃ）のステップ中の、信号受信ユニットとアナログ出力デジタル量子化器、電話通話ユニットとアナログ入出力デジタル量子化器より入力される信号を受け取り、並びにエコー消去後、（ｃ）のステップの処理に供するステップと、
（ｈ）ＤＴＭＦ発生及び受信ステップとされ、（ｃ）のステップ中の電話通話ユニット及びアナログ入出力デジタル量子化器より入力されるデータを受け取り、並びにＤＴＭＦ信号であるか否かを判断し、ＤＴＭＦ信号であれば、受信した指示コードを（ｂ）のステップの処理に供するか、（ｂ）のステップで発生した動作制御コードを受け取り、ＤＴＭＦ信号を発生し、並びに発生したデータを（ｃ）のステップの処理に供し、電話通話ユニット及びアナログ入出力デジタル量子化器に伝送するステップと、
（ｉ）多方向通話の多方向平衡ステップとされ、（ｈ）のステップで処理後のデータを受け取り、並びに電話局端（ＣＯ）或いは電話交換機（ＰＢＸ）及びこのハードウエアの入力信号を合成し、各方の平衡を達成した後、結果を（ｃ）のステップの処理に供し、各方に向けて出力するステップと、
（ｊ）表示出力の制御ステップとされ、（ｂ）のステップの動作命令を受け取り、並びに表示ユニットの動作を制御するステップと、
（ｆ）ファイルシステムの管理ステップとされ、（ｅ）のステップのデータを受け取り、且つデータ処理ユニットの内定した命名規則及びタイマーのリアルタイム時間により、ファイル名処理を行い、並びに保存ユニットのこのデータに対するアクセスを制御するステップと、を具えたことを特徴とする、会議情報記録装置としている。
請求項１０の発明は、請求項９に記載の会議情報記録装置において、信号受信ユニットがさらに非共面の象限に、別に延伸信号受信ユニットを具え、且つ該延伸信号受信ユニットが単一或いは単一以上のマイクロホンを架設してなると共に一つの信号増幅器を具えたことを特徴とする、会議情報記録装置としている。
請求項１１の発明は、請求項１０に記載の会議情報記録装置において、信号増幅器がマイクロホンと合併されて一つの信号受信ユニットとされたことを特徴とする、会議情報記録装置としている。
請求項１２の発明は、請求項９に記載の会議情報記録装置において、信号受信ユニット、ＣＯＤＥＣユニット、データ処理ユニット、制御入力ユニット、及び保存ユニットが、半導体のチップ技術により、結合されて単一のチップとされるか、分解されて異なる機能の組み合わせのチップとされたことを特徴とする、会議情報記録装置としている。
【０００８】
【発明の実施の形態】
図１、２に示されるのは本発明の好ましい実施例であり、近端での会議の進行を支援し会議情報を記録するのに用いられ、音声品質を向上し、並びに長時間録音保存の特性を具備する。本発明の装置はハードウエアとソフトウエアで組成されている。
【０００９】
好ましい実施例中にあって、図１に示されるように、そのハードウエア装置は、少なくとも、信号受信ユニット１０、ＣＯＤＥＣユニット２０、データ処理ユニット３０、制御入力ユニット４０、保存ユニット５０、電源機構（図示せず）を具えている。
【００１０】
該信号受信ユニット１０は、少なくとも３本のマイクロホン１１を共平面の方式で架設してなり、これにより広範な信号受信エリアを形成し、且つ信号増幅器１２を具え、各マイクロホン１１の受診した音声信号を増幅し、マイクロホン１１はコンデンサ式或いはインダクタ式とされる。
【００１１】
該ＣＯＤＥＣユニット２０は、一つのアナログ入力デジタル量子化器２１で構成され、それは単方向のデジタル量子化器とされて、マイクロホン１１の受信したアナログ信号をデジタルデータに変換する。
【００１２】
該データ処理ユニット３０は、論理共同管理装置３１及びＣＰＵ３２で組成され、論理共同管理装置３１はＦＰＧＡ共同管理チップ或いは任意の同じ機能を有する共同管理チップとされ、各周辺装置のデジタル信号を整合することができ、且つそれを統一し制御管理する。ＣＰＵ３２はデータの入力と出力を実行し、例えば、各種信号処理チップ（ＤＳＰ　ｃｈｉｐ）、Ｉｎｔｅｌ　ＣＰＵ（８０×８６、Ｐｅｎｔｉｎｕｍ　ｓｅｒｉｅｓ）、Ｍｉｃｒｏ−ｃｏｎｔｒｏｌｌｅｒ（８０５１，８０９６，Ｍｉｃｒｏｎ）、及び、任意の、データの出力と入力を実行できる演算処理チップとされる。
【００１３】
該制御入力ユニット４０は、キーボード式の制御入力装置とされ、使用者が制御信号をＣＰＵ３２に入力して、位置決め、記録、放送、検索等の制御動作を実行させるのに供される。
【００１４】
該保存ユニット５０は、非揮発性保存方式のデータ保存装置とされ、並びにＣＰＵ３２により制御されてデータの出力と入力を行い、非揮発性メモリ（ｎｏｎｖｏｌａｔｉｌｔｅ　ｍｅｍｏｒｙ）とされ得て、すなわち、電源が消失しても、その保存するデータを永久に保存でき、例えば、フロッピー（登録商標）ディスク、ＣＤ／ＭＯ或いはＲＯＭ、ＥＰＲＯＭ、ＥＥＰＲＯＭ、Ｆｌａｓｈ　ＲＯＭ、ＣｏｍｐａｃｔＦｌａｓｈ、ＳｍａｒｔＭｅｄｉａ（登録商標）、ＭＭＣ（ＭｕｌｔｉＭｅｄｉａ　Ｃａｒｄ）、ＳＤ（Ｓｅｃｕｒｅ　Ｄｉｇｉｔａｌ）、ＭｅｍｏｒｙＳｔｉｃｋ、ＭＤ（Ｍｅｍｏｒｙ　Ｄｉｓｋ）、及び任意のデータの出力と入力が可能な保存媒体とされる。
【００１５】
以上の組成、並びに電源機構により、適当な電源が供給される。
【００１６】
図２に示されるように、該ソフトウエア構造は少なくとも以下のステップを具えている：
基本入力制御ステップ１として、このステップでは制御入力ユニット４０の制御信号を受信し、並びに事件分配待ち行列のプログラム１ａを含み、制御信号を変換して対応する事件コードとなす。
状態フロー制御ステップ２として、このステップでは、上記基本入力制御ステップ１で発生した事件を処理し、当時の状態の判断をして動作を実行し、その後、もう一つの状態に変換する。
デジタル量子化データ処理ステップ３として、このステップでは、信号受信ユニット１０より入力されるデジタルデータ、その入力及び出力の制御、及びタイミングを掌握管理する。
音声方向シーク処理ステップ４として、このステップでは、信号受信ユニット１０及びＣＯＤＥＣユニット２０から伝送されるデジタルデータを受け取り、並びに導向処理を行い、信号受信ユニット１０の指向を判断し、且つこの方向の信号を合成し、この信号をこの方向にあって数倍に増幅（３倍が好ましい）し、その他の方向を数倍減少し（３倍が好ましい）、増幅後の信号データをデジタル量子化データ処理ステップ３により出力する。
音声処理ステップ５として、このステップでは、デジタル量子化データ処理ステップ３の出力したデジタルデータを受け取り、且つそれを圧縮し、ファイルシステムの管理ステップ６に供する。
ファイルシステムの管理ステップ６として、このステップでは、音声処理ステップ５のデータを受信し、並びに保存ユニット５０のこのデータに対するアクセスを制御し、ファイルシステムの類別は、例えば、ＦＡＴ１２、ＦＡＴ１６、ＣＦＡＴ（Ｖｉｒｔｕａｌ　ＦＡＴ）、ＦＡＴ３２、ＮＴＦＳ（ＮＴ　ＦｉｌｅＳｙｓｔｅｍ）、Ｅｘｔ２（Ｌｉｎｕｘ）等、及び任意の運用可能なファイルシステムとする。
【００１７】
これにより、使用者は会議過程中において、随時制御入力ユニットを操作して音声方向シーキング、録音記録、再生、検索等の制御動作を行える。且つ、記録実行時に、正面の発言者の音声をキャプチャし、並びに圧縮して圧縮ファイルとした後、保存ユニット内に保存する。これにより、大幅に録音の品質を高めることができ、並びに長時間録音の特性を具備し、会議中の大量の音声情報をシステムマティックに保存してデジタル化した会議記録となし、且つ後日の検索及び参考に便利とする。
【００１８】
ここで説明を加えると、音声処理ステップ５で採用される音声圧縮フォーマットは、ＭＰ３、ＧＳＭ６．１０、ＣＥＬＰ３．２ａ、ＭＥＬＰ、ＡＣＥＬＰ、ＴＲＵＥ　ＳＰＥＥＣＨ、ＬＰＣ１０ｅ、ＡＤＰＣＭ、ＡＬＡＷ、及びＵＬＡＷ等、及び任意の運用可能な圧縮フォーマットとされ、ゆえに本発明は長時間録音の特性を具備し、会議中の大量音声情報を保存してデジタル化した会議記録となすことができる。
【００１９】
ここで説明を加えると、本発明のハードウエア装置は、このほかに延伸信号受信ユニット１３を設置可能であり、図３に示されるように、それは単一或いは単一以上のマイクロホン１１’を架設してなり、且つ信号受信ユニット１０と延伸信号受信ユニット１３の音声キャプチャ指向は非共面とされ、これにより全体の信号受信エリアを拡大でき、信号受信のエリアを三次元全方向性の広範な範囲に拡張できる。延伸信号受信ユニット１３はあまた一つの信号増幅器１２’を具え、マイクロホン１１’の受信した音声信号を増幅できる。
【００２０】
ここで説明を加えると、本発明のハードウエア装置は、さらにタイマー３３を設置可能であり、これにより時間情報を提供し、図３に示されるようであり、且つファイルシステムの管理ステップ６中に、データ処理ユニット３０の内定した命名規則及びタイマー３３のリアルタイム時間により、ファイル処理を実行する。
【００２１】
図４から５に示されるように、本発明の第２実施例中にあって、本発明はスピーカを具備し、使用者が音声情報を聴取できるようにしている。
【００２２】
図４に示されるように、該ハードウエア装置はさらにスピーカ出力ユニット６０、及びアナログ出力デジタル量子化器２２を具えている。
【００２３】
そのうち、該スピーカ出力ユニット６０は、スピーカ６１とパワー増幅器６２で組成され、ＣＰＵ３２の出力する信号を受信し、パワー増幅器６２によりパワーを増加し、並びにスピーカ６１より出力し、使用者が音声情報を聴取するのに供する。
【００２４】
該アナログ出力デジタル量子化器２２は、一つの出力量子化チップで組成され、デジタルデータを変換してアナログ信号となす。
【００２５】
図５に示されるように、該ソフトウエア構造はステップ１、２が前述の好ましい実施例と同じであるが、ステップ３、ステップ４、ステップ５及びステップ６が、以下のステップ３ａ、ステップ４ａ、ステップ５ａ及びステップ６ａに変更されている。即ち、
デジタル量子化データ処理ステップ３ａ、このステップでは、信号受信ユニット１０とアナログ出力デジタル量子化器２２より入力され及びそれに出力するデータ、その入力及び出力の制御、及びタイミングを掌握管理する。
音声方向シーク処理ステップ４ａ、このステップでは、信号受信ユニット１０及びＣＯＤＥＣユニット２０より伝送されたデジタルデータを受け取り、並びに方向シーク処理を行い、信号受信ユニット１０の指向を判断し、且つこの方向の信号を合成し、この信号をこの方向にあって数倍に増幅（３倍が好ましい）し、その他の方向を数倍減少し（３倍が好ましい）、増幅後の信号データをデジタル量子化データ処理ステップ３ａにより出力し、スピーカ出力ユニット６０及びアナログ出力デジタル量子化器２２に向けて出力する。
音声処理ステップ５ａ、このステップでは、デジタル量子化データ処理ステップ３ａの出力したデジタルデータを受け取り、且つそれを圧縮し、ファイルシステムの管理ステップ６ａの処理に供し、且つファイルシステムの管理ステップ６ａ中の指示により、ファイルシステムの管理ステップ６ａで提供される内部保存ファイルデータを伸張し、並びにデジタル量子化データ処理ステップ３ａの処理に供する。
ファイルシステムの管理ステップ６ａ、このステップでは、音声処理ステップ５ａのデータを受信し、並びに保存ユニット５０のこのデータに対するアクセスを制御し、保存ユニット５０内のファイルデータを読み取ることができ、並びに音声処理ステップ５ａの処理に供する。
【００２６】
図６、７に示されるように、本発明の第３実施例では、本発明のハードウエア装置は電話局端（ＣＯ）７２に連接され、双方向通話の目的を達成し、近端及び遠端会議を同時に進行させ並びに記録できる。
【００２７】
図６に示されるように、そのハードウエア装置は、さらに電話通信ユニット７０、及びアナログ入出力デジタル量子化器２３を具えている。
【００２８】
該電話通話ユニット７０は、電話インタフェース回路７１で組成され、電話局端（ＣＯ）７２に連接され、双方向通話時には、アナログ信号を相互に伝送できる。
【００２９】
このアナログ入出力デジタル量子化器２３は、入出力量子化チップで組成され、電話局端（ＣＯ）７２のアナログ信号をデジタルデータに変換し、並びに本ハードウエア装置が電話局端（ＣＯ）７２に伝送するデジタルデータをアナログデータに変換する。
【００３０】
図７に示されるように、そのソフトウエア構造は、ほぼ第２実施例と同じであるが、更に以下を含む。即ち、
空間と電話のエコー消去ステップ７、このステップにおいて、デジタル量子化データ処理ステップ３ａで信号受信ユニット１０とアナログ出力デジタル量子化器２２、電話通話ユニット７０とアナログ入出力デジタル量子化器２３より入力される信号を受け取り、並びにエコー消去後、デジタル量子化データ処理ステップ３ａの処理に供する。
ＤＴＭＦ発生及び受信ステップ７ａ、このステップにおいて、デジタル量子化データ処理ステップ３ａの電話通話ユニット７０及びアナログ入出力デジタル量子化器２３より入力されるデータを受け取り、並びにＤＴＭＦ信号であるか否かを判断する。もしイエスであれば、受信した指示コードを状態フロー制御ステップ２の処理に供するか、状態フロー制御ステップ２の発生した動作制御コードを受け取り、ＤＴＭＦ信号を発生し、並びに発生したデータをデジタル量子化データ処理ステップ３ａの処理に供し、電話通話ユニット７０及びアナログ入出力デジタル量子化器２３に伝送する。
【００３１】
図８及び９に示される本発明の第４実施例では、本発明のハードウエア装置は、電話交換機（ＰＢＸ）７３に連接され、多方向通話の目的を達成し、近端及び遠端会議を同時進行可能とし並びに記録する。
【００３２】
図８に示されるように、該ハードウエア装置は、さらに、電話通話ユニット７０、及びアナログ入出力デジタル量子化器２３を具えている。
【００３３】
該電話通話ユニット７０は、電話インタフェース回路７１で組成され、電話交換機（ＰＢＸ）７３に連接されて、多方向通話を行う時、アナログ信号を相互に伝送する。
【００３４】
図９に示されるように、そのソフトウエア構造は、ほぼ第３実施例と同じであるが、さらに以下のステップを含み、即ち、
多方向通話の多方向平衡ステップ８、このステップでは、空間と電話のエコー消去ステップ７で処理後のデータを受け取り、並びに電話交換機（ＰＢＸ）７３及び本ハードウエア装置の入力信号を合成し、各方の平衡を達成した後、結果をデジタル量子化データ処理ステップ３ａに伝送して処理に供し、各方に向けて出力する。
【００３５】
図１０から図１１は本発明の第５実施例を示し、この実施例では、本発明のハードウエア装置はさらに表示ユニット８０を具え、該表示ユニット８０は、ディスプレイ８１で組成され、論理共同管理装置３１により制御管理され、並びにＣＰＵ３２の制御信号を受け取り、ディスプレイ８１の種類は、例えば、ＣＲＴモニタ、ＬＣＤモニタ（ＴＳＤＮ、ＴＮＴ）等、及び任意の表示可能な装置とされる。
【００３６】
図１１に示されるように、そのソフトウエア構造は、ほぼ第４実施例と同じであるが、さらに、以下のステップを含み、即ち、
表示出力の制御ステップ９、このステップでは状態フロー制御ステップ２の動作命令を受け取り、並びに表示ユニット８０の動作を制御する。
【００３７】
図１２に示されるのは、本発明の第６実施例であり、そのハードウエア装置は、さらに無線制御入力ユニット９０を具え、該無線制御入力ユニット９０は使用者が無線の方式で制御命令を入力するのに供される。
【００３８】
該無線制御入力ユニット９０は、キーボード９１、無線エンコーダ９２、発信器９３、無線デコーダ９４、及び受信器９５で組成され、使用者がキーボード９１より制御命令を入力し、並びに無線エンコーダ９２及び発信器９３により制御命令を信号に変換して発射し、無線デコーダ９４及び受信器９５が制御信号を受信した後、論理共同管理装置３１により整合し、制御命令をＣＰＵ３２に提供し、無線制御の目的を達成する。
【００３９】
ここで強調して説明することは、すなわち、本発明のＣＯＤＥＣユニット２０は、或いは、入出力デジタル量子化チップとされうることで、それは、アナログ入力デジタル量子化器２１、アナログ出力デジタル量子化器２２、及びアナログ入出力デジタル量子化器２３を合併して同一チップとしたものとされ、これもまた本発明の実施可能な方式であり、且つ、本発明の好ましい実施例に基づき、本発明の精神に基づきなしうる応用であり、本発明の請求範囲内に属するものとする。
【００４０】
また、本発明のデータ処理ユニット３０は、その論理共同管理装置３１及びＣＰＵ３２を簡単とし、合併して一つのチップとすることができ、これもまた本発明の実施可能な方式であり、且つ、本発明の好ましい実施例に基づき、本発明の精神に基づきなしうる応用であり、本発明の請求範囲内に属するものとする。
【００４１】
さらに、本発明の信号受信ユニット１０、ＣＯＤＥＣユニット２０、データ処理ユニット３０、制御入力ユニット４０、及び保存ユニット５０は、各種半導体のチップ技術により、結合して単一チップとされるか、或いは機能ごとに分解したチップを組み合わせたものとされ、これはいずれも本発明の精神に基づきなしうる応用であり、本発明の請求範囲内に属するものとする。
【００４２】
【発明の効果】
本発明の会議情報記録装置は、ハードウエアとソフトウエアで組成され、該ハードウエアが、少なくとも、信号受信ユニット、ＣＯＤＥＣユニット、データ処理ユニット、制御入力ユニット、保存ユニット、電源機構を具え、該ソフトウエアが少なくとも、基本入力制御、状態フロー制御、デジタル量子化データ処理、音声方向シーク処理、音声処理、及びファイルシステムの管理等のステップを具え、これにより、自動的に音源に依り音声の方向シークとキャプチャを行い、良好な記録品質を有し、且つ音声情報が圧縮されてから保存ユニット内に保存され、ゆえに大量に会議音声情報を記録できシステムがデジタル化データを保存し、並びに音声方向シーキング、録音記録、再生、検索等の基本要求を具備する。
【図面の簡単な説明】
【図１】本発明の好ましい実施例のハードウエアブロック図である。
【図２】本発明の好ましい実施例のソフトウエアフローチャートである。
【図３】本発明の図１の応用実施例図である。
【図４】本発明の第２実施例のハードウエアブロック図である。
【図５】本発明の第２実施例のソフトウエアフローチャートである。
【図６】本発明の第３実施例のハードウエアブロック図である。
【図７】本発明の第３実施例のソフトウエアフローチャートである。
【図８】本発明の第４実施例のハードウエアブロック図である。
【図９】本発明の第４実施例のソフトウエアフローチャートである。
【図１０】本発明の第５実施例のハードウエアブロック図である。
【図１１】本発明の第５実施例のソフトウエアフローチャートである。
【図１２】本発明の第６実施例のハードウエアブロック図である。
【符号の説明】
１　基本入力制御
１ａ　事件分配待ち行列
２　状態フロー制御
３　デジタル量子化データ処理
４　音声方向シーク処理
５　音声処理
６　ファイルシステムの管理
３ａ　デジタル量子化データ処理
４ａ　音声方向シーク処理
５ａ　音声処理
６ａ　ファイルシステムの管理
７　空間と電話のエコー消去
７ａ　ＤＴＭＦ発生及び受信
８　多方向通話の多方向平衡
９　表示出力の制御
１０　信号受信ユニット
１１　マイクロホン
１１’　マイクロホン
１２　信号増幅器
１２’　信号増幅器
１３　延伸信号受信ユニット
２０　ＣＯＤＥＣユニット
２１　アナログ入力デジタル量子化器
２２　アナログ出力デジタル量子化器
２３　アナログ入出力デジタル量子化器
３０　データ処理ユニット
３１　論理共同管理装置
３２　ＣＰＵ
３３　タイマー
４０　制御入力ユニット
５０　保存ユニット
６０　スピーカ出力ユニット
６１　スピーカ
６２　パワー増幅器
７０　電話通話ユニット
７１　電話インタフェース回路
７２　電話局端（ＣＯ）
７３　電話交換機（ＰＢＸ）
８０　表示ユニット
８１　ディスプレイ
９０　無線制御入力ユニット
９１　キーボード
９２　無線エンコーダ
９３　発信器
９４　無線デコーダ
９５　受信器
【図１】
2004128797.tif 000003
【図２】
2004128797.tif 000004
【図３】
2004128797.tif 000005
【図４】
2004128797.tif 000006
【図５】
2004128797.tif 000007
【図６】
2004128797.tif 000008
【図７】
2004128797.tif 000009
【図８】
2004128797.tif 000010
【図９】
2004128797.tif 000011
【図１０】
2004128797.tif 000012
【図１１】
2004128797.tif 000013
【図１２】
2004128797.tif 000014